(57)【要約】【課題】この発明は、調理台の下に加熱器を収納し、使用するときにのみ引き出して使用できるようにして、天板の有効利用を図ること、そして調理台の前を扉などで遮蔽可能とすることを課題とするものである。【解決手段】調理台の天板下方に、前後にスライドするスライド体４を装着し、このスライド体の上面に加熱器５を装着し、前記加熱器５の熱源回路にスイッチ１２を設け、前記スイッチの作動によりスライド体が引き出されたときにのみ前記加熱器５に熱源が供給されるようにして、この発明の調理台を構成する。前記加熱器はガスコンロ又は電気加熱器とし、ガスコンロの場合はガスが、電気加熱器の場合は電気がスイッチによってオン・オフされるようにする。【選択図】  図１
2004351020.tif 000002
【特許請求の範囲】
【請求項１】
調理台の天板下方に、前後にスライドするスライド体が装着され、このスライド体の上面に加熱器が装着され、前記加熱器の熱源回路にはスイッチが設けられ、前記スイッチの作動によりスライド体が引き出されたときにのみ前記加熱器に熱源が供給されるようにした、調理台
【請求項２】
スイッチは、スライド体の位置を検知するセンサと、このセンサの指令により作動するリレースイッチで構成した、請求項１記載の調理台
【発明の詳細な説明】
【０００１】
【発明の属する技術分野】
この発明は、加熱器付きの調理台に関するものである。
【０００２】
【従来の技術】
従来の調理台において、ガスコンロや電気加熱器などの加熱器は、調理台上に載置されるか、又は天板に組み込まれている。そのために、調理台の幅の使用方法において、流し台の幅と加熱器の幅は必須の寸法であり、まな板を使う作業スペースや料理材料を置くスペースを広く取るためには調理台の幅を広げなければならない。
また、防火上の要請から加熱器が設置された調理台の前を扉などで遮蔽することができなかった。
【０００３】
【発明が解決しようとする課題】
この発明は、調理台の下に加熱器を収納し、使用するときにのみ引き出して使用できるようにして、天板の有効利用を図ること、そして調理台の前を扉などで遮蔽可能とすることを課題とするものである。
【０００４】
【課題を解決するための手段】
調理台の天板下方に、前後にスライドするスライド体を装着し、このスライド体の上面に加熱器を装着され、前記加熱器の熱源回路にスイッチを設け、前記スイッチの作動によりスライド体が引き出されたときにのみ前記加熱器に熱源が供給されるようにして、この発明の調理台を構成する。
前記加熱器はガスコンロ又は電気加熱器とし、ガスコンロの場合はガスが、電気加熱器の場合は電気がスイッチによってオン・オフされるようにする。
請求項２の発明は、前記スイッチを、スライド体の位置を検知するセンサと、このセンサの指令により作動するリレースイッチで構成したものである。
【０００５】
【作用】
この発明において、加熱器は天板の下に配設してあるので、調理台の幅は加熱器の幅の分だけ狭いもので足りる。まな板を使う作業などを行うときには、スライド体を天板の下に位置させることにより、通常の調理台と同様に作業を行うことができる。
そして、加熱器を使用するときにはスライド体を引き出す。スライド体を完全に引き出すとスイッチがオンになり加熱器に電気やガスが通じ、加熱器を使用することができる。
加熱作業が終了してスライド体を天板の下へ押し込むと、スイッチはオフとなり、電気やガスが加熱器に通じることはなく、天板下方で加熱器がはたらくことはない。
【０００６】
【発明の実施の形態】
図において、マンションの部屋の一方の壁面に沿って、収納庫１、１が設けてあり、前記両収納庫１，１の間にこの発明の調理台２が設置してある。この調理台２の天板３の一側下方にスライド体としてのスライドワゴン４が配設してある。このスライドワゴン４はキャスター付きとして容易にスライドできるようにしてあり、上面に電磁加熱器５が取り付けてあり、下方は収納部７としてある。
【０００７】
前記電磁調理器５への給電用配線は図３に示すとおりである。すなわち、壁面に設けられた一次コンセント１１の一方の配線は、マグネットリレースイッチ１２を介して二次コンセント１３に接続され、二次コンセント１３から電磁調理器５へ給電されるようにしてある。
前記マグネットリレースイッチ１２は、前記天板３の下方に取り付けられた、スライドワゴン４の位置を検出するリミッター１４の指令により作動するようにしてある。
【０００８】
すなわち、前記リミター１１はスライドワゴン４が完全に引き出されたときにその位置を検知してマグネットリレースイッチ１２に電源ＯＮ信号を出力し、引き出されているスライドワゴン４が所定寸法（例えば５センチ）以上が天板側に押し込まれたときに、その位置を検知してマグネットリレースイッチにＯＦＦ信号を出力するようにしてある。
【０００９】
その結果、スライドワゴン４が完全に引き出されたときにのみ前記電磁調理器５に通電し、電磁調理器を使用することができ、他方スライドワゴンが押し込まれたときには電磁調理器に通電せず、電磁調理器のスイッチを操作しても発熱することはなく、また電磁調理器のスイッチをＯＮ状態のままスライドワゴンを引き込んだときにも、電磁調理器への通電は自動的に停止する。
【００１０】
前記調理台２の前後寸法は前記収納庫１の前後寸法と同等としてある。
【００１１】
まな板を使う作業などは従来の調理台と同様に天板３を用いて行う。加熱調理するときは、スライドワゴン４を引き出す。スライドワゴン４を完全に引き出すとメインスイッチがオンとなり電磁調理器を使用することができる。スライドワゴン４の引き出しが不完全な場合は、メインスイッチがオフであり、電磁調理器５のスイッチを操作しても加熱することがない。
【００１２】
加熱作業が終了すると、スライドワゴン４を天板の下へ押し入れる。スライドワゴンを僅かに押し入れればメインスイッチはオフとなる。
【００１３】
上記実施形態においてはスライド体をスライドワゴンとし、収納部６を設けたので、天板の下に加熱器を収納することによる収納スペースの減少を最低限で抑えることができる。
なお、スライド体は電磁調理器部分のみのスライド板としてもよい。
また、加熱器としては電磁調理器を用いることにより、最小の厚さで高機能の加熱器を得ることができるが、ガスコンロを用いることもできる。
【００１４】
【発明の効果】
この発明によれば、調理台の天板の下方にスライド体を配設し、スライド体に加熱器を配設することとしたので、天板の幅を可及的に小さくすることができる。そして、スライド体にはスライド体を完全に引きだしたときにのみオンメインスイッチを取り付けたので、スライド体を完全に引きだしたときのみ加熱器を使用することができ、かつスライド体を天板の下へ押し込んだときには、メインスイッチは必ずオフとなる。
したがって、スライド体を天板押したに押し込んだ状態で加熱器が作動するおそれはない。
そのため、調理台の前方に扉を取り付けて調理台の空間を閉めきることも可能となり、マンションなど狭い生活空間の居住性を向上させることができる。
【図面の簡単な説明】
【図１】この発明実施形態の斜視図
【図２】この発明実施形態の平面図
【図３】この発明実施形態の回路図
【符号の説明】
１    収納庫
２    調理台
３    天板
４    スライドワゴン
５    電磁加熱器
６    収納部
１１  一次コンセント
１２  マグネットリレースイッチ
１３  二次コンセント
１４  リミッター
【図１】
2004351020.tif 000003
【図２】
2004351020.tif 000004
【図３】
2004351020.tif 000005